(57)【要約】【課題】温室の両開きタイプで開閉するスライド式ドアに簡便な構造で実施でき、左右いずれか一方のドアを開閉するだけで、他方のドアが同時に自動的に開閉する簡便構造の温室用のスライド式ドアを提供する。【解決手段】ベース板９の両端部に配置された左右一対の端部ローラー１、２と、ベース板９の中央部に配置された左右一対の中央ローラー３、４にワイヤー８が所定要領で巻き掛けられている。左側の端部ローラー１と左側の中央ローラー３に掛けられるワイヤー８に一方のドア３０Ａの上部が接続され、右側の端部ローラー２と右側の中央ローラー４に掛けられるワイヤー８に他方のドア３０Ｂの上部が接続され、いずれか一方のドア３０Ａ（３０Ｂ）の開き動作に応じて他方のドア３０Ｂ（３０Ａ）が同時に開き、いずれか一方のドア３０Ａ（３０Ｂ）の閉じ動作に応じて他方のドア３０Ｂ（３０Ａ）が同時に閉じる。【選択図】図１
2020191789.tif 000002
【特許請求の範囲】
【請求項１】
温室の出入口開口の上辺レール近傍に設置されるベース板に、エンドレス状のワイヤーが複数のローラーを介して設けられ、前記上辺レール又は下辺レール内で戸車を備えた左右のスライド式ドアの各上部が前記ワイヤーに接続され、左右いずれか一方の前記ドアの開閉に応じて他方のドアが同時に開閉される温室用のスライド式ドアであって、
前記ローラーは、前記ベース板の両端部に配置された左右一対の端部ローラーと、前記ベース板の中央部に配置された左右一対の中央ローラーとで成ると共に、
前記ワイヤーは、左側の端部ローラーに下方から上方に巻き掛けられて内方に向かい、左側の中央ローラーの上方に掛けられた後、隣接する右側の中央ローラーの下方に掛けられて外方に向かい、つづいて右側の端部ローラーに下方から上方に巻き掛けられて内方に向かい、前記右側の中央ローラーの上方に掛けられた後、隣接する前記左側の中央ローラーの下方に掛けられて外方に向かい、前記左側の端部ローラーに巻き掛けられる前の当該ワイヤーに接続されてエンドレス状に形成されて成り、
前記左側の端部ローラーと左側の中央ローラー間の下方のワイヤーに前記一方のドアの上部が接続されると共に、前記右側の端部ローラーと右側の中央ローラー間の下方のワイヤーに前記他方のドアの上部が接続され、前記左右いずれか一方のドアの開き動作に応じて他方のドアが同時に開き、前記左右いずれか一方のドアの閉じ動作に応じて他方のドアが同時に閉じる構成であることを特徴とする温室用のスライド式ドア。
【請求項２】
前記左側の端部ローラーと左側の中央ローラー間の上方のワイヤーに前記一方のドアの上部が接続されると共に、前記右側の端部ローラーと右側の中央ローラー間の上方のワイヤーに前記他方のドアの上部が接続され、前記左右いずれか一方のドアの開き動作に応じて他方のドアが同時に開き、前記左右いずれか一方のドアの閉じ動作に応じて他方のドアが同時に閉じる構成であることを特徴とする、請求項１に記載した温室用のスライド式ドア。
【請求項３】
前記左右いずれか一方の中央ローラーは、他方の中央ローラーより奥行方向に離間して配置され、前記左右の中央ローラー間で交差するワイヤーが互いに接触しない構成であることを特徴とする、請求項１又は２記載した温室用のスライド式ドア。
【請求項４】
前記左右いずれか一方の中央ローラーは、奥行が他方の中央ローラーより長く形成され、かつワイヤーを掛ける溝部が、他方の中央ローラーの溝部より奥行方向にも離間して設けられていることを特徴とする、請求項１〜３のいずれか一に記載した温室用のスライド式ドア。
【請求項５】
前記左右のスライド式ドアの各上部の内端部に、Ｌ字型のワイヤー固定金具が設置され、そのワイヤー固定金具に前記ワイヤーが接続固定されていることを特徴とする、請求項１〜４のいずれか一に記載した温室用のスライド式ドア。
【請求項６】
前記左右のスライド式ドアの戸車には、ベアリングが装填されていることを特徴とする、請求項１〜５のいずれか一に記載した温室用のスライド式ドア。
【請求項７】
前記ベース板は、前記上辺レールの内側面でＵボルトを介して温室の支柱パイプに取り付けられていることを特徴とする、請求項１〜６のいずれか一に記載した温室用のスライド式ドア。
【請求項８】
前記ローラーとワイヤーが、ベース板のない上辺レールに直接設置されていることを特徴とする、請求項１〜９のいずれか一に記載した温室用のスライド式ドア。
【請求項９】
前記左右いずれか一方のドアの上部に、第２ワイヤー引き込み式のぜんまいユニットが設置され、かつ前記第２ワイヤーの先端が前記上辺レール又はベース板に接続され、左右いずれか一方のドアが開かれた後の解除時に、前記ぜんまいユニットの第２ワイヤーが引き込まれて当該左右両方のドアが同時に自閉されることを特徴とする、請求項１〜８のいずれか一に記載した温室用のスライド式ドア。
【発明の詳細な説明】
【技術分野】
【０００１】
この発明は、温室用のスライド式ドアに関し、さらに言えば、図１２に示したような温室の出入口開口の上辺レール近傍に設置するワイヤーとローラーの簡便構造により、出入口開口の左右のスライド式ドアの左右いずれか一方の開閉に応じて、他方のドアが同時に自動的に開閉される温室用のスライド式ドアの技術分野に属する。
【背景技術】
【０００２】
従来、温室の出入口開口に実施されるスライド式ドアとして、例えば、本出願人が開発した下記特許文献１がある。この発明は、同文献１の符号を援用すると、上辺レール３は横断面形状の基本形が下向きに開口部９を有するリップ付溝形鋼状をなし、内向きの左右のリップ７の上面７ａが戸車の走行面とされ、片側のリップ７の端縁はリップ下側へ折り返してリップ７との間にセルフタップビス８をねじ込み可能な間隙の溝部６が形成され、更に側板３ａの延長線上で略垂直下向きに屈曲した垂下面部１１が形成され、シート止め材５が溝部６へのねじ込みにより上辺レール３に取付けられ、ドア４のダブル車輪１２はリップ７の上面７ａに走行可能に載置したスライド式ドアである。
【０００３】
また、下記特許文献２のように、小型リニアモータで左右一対のドアの開閉動作を同期させて開閉できるとともに、牽引ワイヤの弛み調整が容易な両開きドアの開閉装置も公知である。この両開きドア開閉装置は、同文献２の符号を援用すると、第１牽引ワイヤ３１の一端をリニアモータ６の可動子１１に連結して第１プーリ８に掛け、他端をドア２ｂに連結する。第２牽引ワイヤ３２の一端を可動子６に連結して第２プーリ９に掛け、他端をドア２ｂに連結する。リニアモータ６によりドア２ａを開閉駆動すると、ドア２ｂがドア２ａと逆方向に牽引される。また、ドア２ｂと第１牽引ワイヤ３１及び第２牽引ワイヤ３２との連結部を同位置とし、ドア２ｂに対する固定位置を牽引ワイヤの伸長方向で変更可能な連結ピン１６を設けて、第１牽引ワイヤ３１及び第２牽引ワイヤ３２を係止するようにし、さらに、第１プーリ８若しくは第２プーリ９をレール長手方向で位置調整自在とする構成である。
【先行技術文献】
【特許文献】
【０００４】
【特許文献１】特許第２７６４６９８号公報
【特許文献２】特開平１１−１６６３６６号公報
【発明の概要】
【発明が解決しようとする課題】
【０００５】
上記した特許文献１のスライド式ドア構造によれば、上辺レール３のリップ７，７上に載置されたダブル車輪１２はバランスよく走行するので、スライド式ドアの走行の安定化に寄与し、スライド式ドア４の利用価値が高められる上、上辺レール３に直接シート止め材５又は５’を固定でき、所望のシート１９又は２０を張設することができる自在性がある。しかし、温室用のスライド式ドアの左右いずれか一方の開閉に応じて、他方のドアが同時に自動的に開閉されるものではない。
【０００６】
また、特許文献２の両開きドア開閉装置は、第１牽引ワイヤ３１と第２牽引ワイヤ３２は、リニアモータ６の可動子１１を介して簡便構造のループ状に形成されるものの、ドア２ａを開閉駆動するリニアモータ６が必要であって、それを実施するに当たりコスト高が余儀なくされる。しかも、他方のドア２ｂが第１牽引ワイヤ３１に接続するための長いブラケット１３が必要で、部品点数が増える上、ドアの開閉の安定性が悪い、といった問題がある。
【０００７】
したがって、本発明は上記のような問題点を解決すべくなされたもので、その目的は、温室の出入口開口に適用される両開きタイプで開閉するスライド式ドアに、エンドレスワイヤーとローラーの必要最小限の構造で安価に実施でき、作業員は左右いずれか一方のドアを開閉するだけで、他方のドアが同時に自動的に安定して開閉する使い勝手に優れた温室用のスライド式ドアを提供することである。
【課題を解決するための手段】
【０００８】
上記の課題を解決するための手段として、請求項１に記載した発明の温室用のスライド式ドアは、温室１０の出入口開口１１の上辺レール１２近傍に設置されるベース板９に、エンドレス状のワイヤー８が複数のローラー１〜４を介して設けられ、前記上辺レール１２又は下辺レール１３内で戸車４０を備えた左右のスライド式ドア３０Ａ、３０Ｂの各上部３１が前記ワイヤー８に接続され、左右いずれか一方の前記ドア３０Ａ又は３０Ｂの開閉に応じて他方のドア３０Ｂ又は３０Ａが同時に開閉される温室用のスライド式ドアであって、
前記ローラー１〜４は、前記ベース板９の両端部に配置された左右一対の端部ローラー１、２と、前記ベース板９の中央部に配置された左右一対の中央ローラー３、４とで成ると共に、
前記ワイヤー８は、左側の端部ローラー１に下方から上方に巻き掛けられて内方に向かい、左側の中央ローラー３の上方に掛けられた後、隣接する右側の中央ローラー４の下方に掛けられて外方に向かい、つづいて右側の端部ローラー２に下方から上方に巻き掛けられて内方に向かい、前記右側の中央ローラー４の上方に掛けられた後、隣接する前記左側の中央ローラー３の下方に掛けられて外方に向かい、前記左側の端部ローラー１に巻き掛けられる前の当該ワイヤー８に接続されてエンドレス状に形成されて成り、
前記左側の端部ローラー１と左側の中央ローラー３間の下方のワイヤー８に前記一方のドア３０Ａの上部３１が接続されると共に、前記右側の端部ローラー２と右側の中央ローラー４間の下方のワイヤー８に前記他方のドア３０Ｂの上部３１が接続され、前記左右いずれか一方のドア３０Ａ又は３０Ｂの開き動作に応じて他方のドア３０Ｂ又は３０Ａが同時に開き、前記左右いずれか一方のドア３０Ａ又は３０Ｂの閉じ動作に応じて他方のドア３０Ｂ又は３０Ａが同時に閉じる構成であることを特徴とする。
【０００９】
請求項２に記載した発明は、前記請求項１に記載した温室用のスライド式ドアの前記左側の端部ローラー１と左側の中央ローラー３間の上方のワイヤー８に前記一方のドア３０Ａの上部３１が接続されると共に、前記右側の端部ローラー２と右側の中央ローラー４間の上方のワイヤー８に前記他方のドア３０Ｂの上部３１が接続され、前記左右いずれか一方のドア３０Ａ又は３０Ｂの開き動作に応じて他方のドア３０Ｂ又は３０Ａが同時に開き、前記左右いずれか一方のドア３０Ａ又は３０Ｂの閉じ動作に応じて他方のドア３０Ｂ又は３０Ａが同時に閉じる構成であることを特徴とする。
【００１０】
請求項３に記載した発明は、前記請求項１又は２記載した温室用のスライド式ドアの前記左右いずれか一方の中央ローラー３又は４が、他方の中央ローラー４又は３より奥行方向に離間して配置され、前記左右の中央ローラー３、４間で交差するワイヤー８が互いに接触しない構成であることを特徴とする。
【００１１】
請求項４に記載した発明は、前記請求項１〜３のいずれか一に記載した温室用のスライド式ドアの前記左右いずれか一方の中央ローラー３又は４は、奥行が他方の中央ローラー４又は３より長く形成され、かつワイヤー８を掛ける溝部１６ａが、他方の中央ローラー４又は３の溝部１６ａより奥行方向にも離間して設けられていることを特徴とする。
【００１２】
請求項５に記載した発明は、前記請求項１〜４のいずれか一に記載した温室用のスライド式ドアの前記左右のスライド式ドア３０（３０Ａ、３０Ｂ）の各上部３１の内端部に、Ｌ字型のワイヤー固定金具８０が設置され、そのワイヤー固定金具８０に前記ワイヤー８が接続固定されていることを特徴とする。
【００１３】
請求項６に記載した発明は、前記請求項１〜５のいずれか一に記載した温室用のスライド式ドアの前記左右のスライド式ドア３０（３０Ａ、３０Ｂ）の戸車４０には、ベアリングが装填されていることを特徴とする。
【００１４】
請求項７に記載した発明は、前記請求項１〜６のいずれか一に記載した温室用のスライド式ドアの前記ベース板９が、前記上辺レール１２の内側面でＵボルト９１を介して温室１０の支柱パイプ１４に取り付けられていることを特徴とする。
【００１５】
請求項８に記載した発明は、前記請求項１〜７のいずれか一に記載した温室用のスライド式ドアの前記ローラー１〜４とワイヤー８が、ベース板９のない上辺レール１２に直接設置されていることを特徴とする。
【００１６】
請求項９に記載した発明は、前記請求項１〜８のいずれか一に記載した温室用のスライド式ドアの前記左右いずれか一方のドア３０Ａ又は３０Ｂの上部３１に、第２ワイヤー５１の引き込み式のぜんまいユニット５０が設置され、かつ前記第２ワイヤー５１の先端５１ａが前記上辺レール１２又はベース板９に接続され、左右いずれか一方のドア３０Ａ又は３０Ｂが開かれた後の解除時に、前記ぜんまいユニット５０の第２ワイヤー５１が引き込まれて当該左右両方のドア３０Ａ、３０Ｂが同時に自閉されることを特徴とする。
【発明の効果】
【００１７】
本発明の温室用のスライド式ドアは、温室の出入口開口の上辺レール近傍で、エンドレス状ワイヤーと必要最小限のローラーの簡便構造で安価に実施でき、作業員は左右いずれか一方のドアを開閉するだけで、他方のドアが同時に自動的に安定して開閉して使い勝手がよく、温室の内外を必要に応じて自由に通過でき、作業効率の向上に寄与する。
【図面の簡単な説明】
【００１８】
【図１】（Ａ）は（Ｂ）の符号Ａ部分の拡大平面図と拡大正面図、（Ｂ）はローラーとワイヤーの設置要領を正面から示した説明図、（Ｃ）は（Ｂ）のワイヤーと固定金具の動きを示した説明図である。
【図２】スライド式ドアを示した一部切欠正面図である。
【図３】（Ａ）はスライド式ドアを示した側面図、（Ｂ）は（Ａ）の符号Ｂ部分の拡大図である。
【図４】ベース板の上辺レールへの取付け状態を示した一部切欠平面図である。
【図５】ローラーを示した斜視図（Ａ）、側面図（Ｂ）、正面図（Ｃ）である。
【図６】異なるローラーの組立て要領を示した斜視図である。
【図７】（Ａ）はエンドレス状のワイヤーを簡略して示した正面図、（Ｂ）は（Ａ）におけるＡ部分のカシメ状態の拡大正面図、（Ｃ）は（Ｂ）の裏面図である。
【図８】スライド式ドアのワイヤーへの接続状態を下方から示した一部切欠斜視図である。
【図９】ワイヤー固定金具を示した斜視図である。
【図１０】ワイヤー固定金具とワイヤーの接続状態を下方から示した斜視図である。
【図１１】図９のワイヤー固定金具の側面図である。
【図１２】温室に設置されたスライド式ドアのワイヤーとローラーの内部構造を示した正面図である。
【図１３】本スライド式ドアにおいて、ぜんまいユニットの実施状況を示した正面図である。
【発明を実施するための最良の形態】
【００１９】
本実施形態の温室用のスライド式ドアについて、以下図面にしたがって説明する。
このスライド式ドアは、図１２に示したような温室１０の出入口開口１１の上辺レール１２近傍に設置されるベース板９に、エンドレス状のワイヤー８が複数のローラー１〜４を介して設置され（図１）、下辺レール１３内で戸車４０を備えた左右の当該スライド式ドア３０（３０Ａ、３０Ｂ）の各上部３１が前記ワイヤー８に接続されている（図８）。そして、左右いずれか一方の前記ドア３０Ａ又は３０Ｂの開閉に応じて他方のドア３０Ｂ又は３０Ａが同時に開閉され、温室１０の内外を通過して作業しやすくさせるために実施される。以下、左側のドアを符号３０Ａ、右側のドアを符号３０Ｂで示す。
【００２０】
ワイヤー８に接続されるスライド式ドア３０（３０Ａ、３０Ｂ）の戸車４０には、ベアリングを装填する形態で実施するのが好ましい。当該スライド式ドア３０（３０Ａ、３０Ｂ）の開閉をスムーズに行うためである。
なお、本実施形態における左右のスライド式ドア３０（３０Ａ、３０Ｂ）は、下辺レール１３内で戸車４０を備え、上辺レール１３内で当該ドア３０（３０Ａ、３０Ｂ）の抜け落ちを防ぐ突出金具３１ａ（図３Ｂ）を備えた例について説明するが、図示を省略した上辺レール１２内で戸車４０を備えた形態でも同様に実施される。また、図１Ａ中、符号３３は、このスライド式ドア３０（３０Ａ、３０Ｂ）の各内端に設けられた取っ手を示している。
【００２１】
ベース板９について説明する。このベース板９は、図２に示したように横長のプレート体で、アルミ製品によって横幅の全長が２７００ｍｍ程度、高さが１３０ｍｍ程度、板厚が３ｍｍ程度とされている。後述するローラー１〜４が、このベース板９の所定位置に取り付けられる。
当該ベース板９には、小さな長円形状で横長に穿設されて隣接する一対の小孔９０、９０が略等間隔で４ケ所穿設されている（図１３）。この小孔９０は、主に左右両端の位置で、後述する妻面１５のハウス骨組を構成する支柱パイプ１４にＵボルト９１で固定するために設けられている（図２、図１２参照）。或いは、上辺レール１２に固定する際にも使用される。なお、図示を省略する２本の上辺レール２、２が中央で接続した際の接続ボルトの逃がし窓として、中央部に若干大きな長円形状で横長に穿設された小孔９０’が一つ穿設されている。
【００２２】
ローラー１〜４について説明する。前記前記ベース板９の正面のプレート上に、４個のローラー１〜４が取り付けられている。ローラー１〜４のうち、後述する中央ローラー３、４のいずれか１つ（本実施形態では中央ローラー３）を除く３つのローラーは、同じ製品である。図５に示したように、合成樹脂製でφ＝２６ｍｍ程度の円柱状の回転自在な滑車１６に支軸１７が備わっている。溝部１６ａを有する前記滑車１６の厚さは７ｍｍ程度で、支軸１７は前記滑車１６の裏面の中心から８ｍｍ程度突き出て、前記ベース板９の所定位置に挿し込まれ、ナット１７ａで固定されている（図１、図３Ｂ、図８参照）。
一方、後述する中央ローラー３は、図６に示したように、前記図５のローラー（１、２、４）の滑車１６を２つ重ね、共通する１本の支軸１７で固着された二重ローラーに形成されている。他の中央ローラー４の溝部１６ａより奥行方向にも離間した溝部１６ａが設けられた構成となっている。つまり、奥行方向の長さが他のローラー（１、２、４）より厚く１４ｍｍ程度に形成されている。中央の左右のローラー３、４間で交差するワイヤー８が接触しないように、奥行方向に離間した溝部１６ａに当該ワイヤー８が掛けられるようにしたためである。
これらのローラー１〜４は、設置される位置と機能の相違から、端部ローラー１、２と、中央ローラー３、４の２種類に大別される。
【００２３】
端部ローラー１、２は、前記ベース板９の両端部にそれぞれ配置して設置された左右一対の左側の端部ローラー１と右側の端部ローラー２である。詳しくは、ベース板９の左右両端部から各１５ｍｍ程度内側で、かつベース板９の下端から各７．５ｍｍ程度上方の位置に、左右の端部ローラー１、２はそれぞれ設置されている。
【００２４】
中央ローラー３、４は、前記ベース板９の中央部で、互いに近い位置で設置された左右一対の左側の中央ローラー３と右側の中央ローラー４である。詳しくは、左側の中央ローラー３は、ベース板９（全長２７００ｍｍ程度）の左端部から１３２５ｍｍ程度センターに寄った位置の下端（ベース板９の下端から７．５ｍｍ程度上方の位置）に設置され、同様に、右側の中央ローラー４は、ベース板９の右端部から１３２５ｍｍ程度センターに寄った位置の下端（ベース板９の下端から７．５ｍｍ程度上方の位置）に設置されている。別言すれば、ベース板９の中央（センターライン）から、２５ｍｍ程度ずつそれぞれ左右に離れた位置に、左右の中央ローラー３、４は設置されている。すなわち、この左右の中央ローラー３、４と前記左右の端部ローラー１、２とは、ベース板９の下端の同一レベル（ライン上）に設置される。
そして、前記左側の中央ローラー３は、上述したように本実施形態の場合、二重ローラー（図６）で実施され、他方の右側の中央ローラー４と比べて、奥行方向にも離間する溝部１６ａが位置するように設けられている（図１Ａ）。但し、左右いずれか一方の中央ローラー３又は４が、奥行方向に離隔して設けられればよいため、本実施形態のように左側の中央ローラー３ではなく、右側の中央ローラー４を、奥行方向にも離間した溝部１６ａを備えた二重ローラーで実施することも可能である（図示は省略）。
【００２５】
ワイヤー８について説明する。ステンレス製のこのワイヤー８は、φ＝１．２ｍｍ程度で、全長が６．５ｍ程度である。図７Ａ中の符号Ａで示した端部接続箇所において、図７Ｂ、Ｃに示したように、同ワイヤー８は、その端部８ａ、８ｂが工具を使用してスリーブ８５でカシメて接続され、エンドレス状に形成されている。
当該ワイヤー８の前記ローラー１〜４への巻き掛け方を説明する。図１に示したように、本実施形態では、左側の端部ローラー１への巻き掛けからスタートする。まず、ワイヤー８は、左側の端部ローラー１に下方から上方に巻き掛けられて内方に向った後（図１Ｃの符号Ｋ２参照）、左側の二重ローラーの中央ローラー３の奥側に位置する溝部１６ａの上方に掛けられた後（図１Ａ上図、図３Ｂ）、隣接する右側の中央ローラー４の下方に掛けられて外方に向い（図１Ｃの符号Ｓ１参照）、つづいて右側の介在ローラー６に下方から上方に巻き掛けられて内方に向い、前記右側の中央ローラー４の上方に掛けられた後、隣接する前記左側の中央ローラー３の手前に位置する溝部１６ａの下方に掛けられて外方に向かい（図１Ｃの符号Ｋ１参照）、前記左側の端部ローラー１に巻き掛けられる前の当該ワイヤー８に接続されて、エンドレス状に形成されている。
但し、このワイヤー８のローラー１〜４への巻き掛けは、上述した反時計回りの巻き掛けのほか、時計回りで巻き掛けてもよく、巻き掛けスタートと終端の位置（ワイヤー８の端部８ａ、８ｂの接続位置）はエンドレス状になればどこであってもよい。
かように、ワイヤー８は、正面からみて中央部でＸ状にクロスするが、接触しないように構成されているので、上下に位置する当該ワイヤー８が中央部からそれぞれ左右逆方向に動くとき、互いに擦れたり干渉することなく、スライド式ドア３０（３０Ａ、３０Ｂ）のスムーズな開閉が実現される。
【００２６】
したがって、前記ローラー１〜４へ巻き掛けられた当該ワイヤー８は、図１Ｃに示した動きをする仕組みになっている。すなわち、右側の中央ローラー４と右側の端部ローラー２間の下方に位置するワイヤー８において、符号Ｓ１で示した矢印位置から、ワイヤー８が右の方へ移動されると、上方に位置するワイヤー８は逆方向の矢印Ｓ３で示したように移動する。そのとき、左側の中央ローラー３と左側の端部ローラー１間の下方に位置する当該ワイヤー８は、符号Ｋ１の矢印位置から左の方に移動し、上方に位置する当該ワイヤー８は逆方向の符号Ｋ３で示したように移動する。つまり、ワイヤー８は、中央から右サイドにおいて符号Ｓ２で示した右方の矢印で示した右端位置まで移動されると同時に、中央から左サイドにおいてＫ２の矢印で示した左端位置まで動く仕組みである。
要するに、上述したローラー１〜４へのワイヤー８の巻き掛けにより、右側のドア（３０Ｂ）が符号Ｓ１→Ｓ２のように右方へ移動すると、左側のドア（３０Ａ）が符号Ｋ１→Ｋ２のように反対方向の左方へ移動し、左右のドア３０Ａ、３０Ｂの互いに反対方向への動きが実現されている（図１２、図１３参照）。
【００２７】
かくして、上述した各ローラー１〜４に巻き掛けられるワイヤー８を備えたベース板９は、図３Ｂに示したように、ハウス骨組の妻面１５（図１２）の上辺レール１２の内側面、詳しくは、上辺レール１２を抱持する上辺レール固定金具１８の内側面に設置されている。すなわち、ベース板９は、上辺レール１２の外側面の温室１０の支柱パイプ１４に引っ掛けたＵボルト９１を、取付孔９０に挿通し、蝶ナット９２で上辺レール２を締付け、同上辺レール１２に当接して設置されている（図４、図１３）。
【００２８】
次に、前記ワイヤー８へのスライド式ドア３０（３０Ａ、３０Ｂ）の固定の仕方について説明する。
図８に示したように、スライド式ドア３０（３０Ａ、３０Ｂ）の各上部３１の内端部に、Ｌ字型のワイヤー固定金具８０が設置され、そのワイヤー固定金具８０に前記ワイヤー８が接続固定されている（図２参照）。
ワイヤー固定金具８０は、図９〜図１１に図示例のごとく、水平部８０ａと、同水平部３０ａの基部が下方に垂下した垂直部８０ｄとによりＬ字型に形成されている。水平部８０ａの先端には、ワイヤー８を挟み込む挟持金具８０ｂがワッシャー８０ｆ付組込みネジ８０ｃで締め付け自在に設けられている。垂直部８０ｄの中央は、下方にＵ字状に切欠された固定切欠部８０ｅに形成されている。
よって、図３と図８に図示例のごとく、スライド式ドア３０（３０Ａ、３０Ｂ）の各上部３１を構成する横桟の内端部に、ワイヤー固定金具８０垂直部８０ｄを当接し、その固定切欠部８０ｅに蝶ナット８２を挿し込み、板付ボルト８１で締め付け固定する。
そして、当該ワイヤー固定金具８０の水平部８０ａの下面と挟持金具８０ｂとの間に、ワイヤー８を挿通する。左側の端部ローラー１と左側の中央ローラー３に掛けられる下方位置のワイヤー８に前記左側のドア３０Ａの上部３１が接続され、前記右側の端部ローラー２と右側の中央ローラー４に掛けられる下方位置のワイヤー８に前記右側のドア３０Ｂの上部３１が接続され（図１Ｂ、図２参照）、そのように位置が決まったらそれぞれワッシャー８０ｆ付組込みネジ８０ｃにより締め付けて接続固定する。
なお、通常は上述したように、下方に位置するワイヤー８にスライド式ドア３０（３０Ａ、３０Ｂ）の上部３１が固定されるが、場合によっては、上方に位置するワイヤー８に各ドア３０Ａ、３０Ｂの上部３１を固定して実施する形態も採用可能である。
【００２９】
上述した温室用のスライド式ドアは、図１３に示したように、ぜんまいユニット５０を設置して好適に実施される。
すなわち、左右のスライド式ドア３０Ａ及び３０Ｂの各上部３１の閉じ方向寄りに内端に、第２ワイヤー（５１）引き込み式のぜんまいユニット５０がそれぞれ設置され、かつ第２ワイヤー５１の先端５１ａが前記上辺レール１２又はベース板９の中央位置に接続されている。前記ぜんまいユニット５０としては、互いに独立して回動可能なせんまい部とダンパ部（図示は両略）とに捲回する第２ワイヤー５１を介してスライド式ドア３０Ａ及び３０Ｂを自動的に閉止可能なユニット等で実施される。左右両方のドア３０Ａ、３０Ｂが開かれた後の解除時に、前記ぜんまいユニット５０の第２ワイヤー５１が引き込まれて両方のドア３０Ａ、３０Ｂが同時にスムーズに自閉される。但し、左右いずれかの３０Ａ又は０Ｂにのみ、ぜんまいユニット５０を設置する形態でも実施可能である。
【００３０】
したがって、この温室用のスライド式ドアは、図１Ｂに示したような閉じ状態で、作業員が、左右いずれか一方のドア３０Ａ又は３０Ｂを開ければ、それに応じて他方のドア３０Ｂ又は３０Ａが同時に開いていき（図１２）、図１３に示したように前記左右の両ドア３０Ａ及び３０Ｂが全開される。閉じるときは、その逆で、図１３の全開状態で、作業員が、左右いずれか一方のドア３０Ａ又は３０Ｂを閉じれば、それに応じて他方のドア３０Ｂ又は３０Ａが同時に閉じていき、最終的には元の閉じ状態となる（図１Ｂ参照）。
【００３１】
以上、実施例を図面に基づいて説明したが、本発明は、図示例の限りではなく、例えば、各ローラー１〜４とワイヤー８を、上述したベース板９のない上辺レール１２に直接設置して実施する等、その技術的思想を逸脱しない範囲において、当業者が通常に行う設計変更、応用のバリエーションの範囲を含むことを念のために言及する。
【符号の説明】
【００３２】
１、２    端部ローラー
３、４    中央ローラー
１０      温室
１１      出入口開口
１２      上辺レール
１３      下辺レール
１４      支柱パイプ
１６      滑車
１６ａ    溝部
１７      支軸
３０      スライド式ドア
３０Ａ    一方のドア
３０Ｂ    他方のドア
３１      上部
４０      戸車
５０      ぜんまいユニット
５１      第２ワイヤー
５１ａ    先端
８        ワイヤー
８０      ワイヤー固定金具
８１      板付ボルト
８２      蝶ナット
９        ベース板
９０      取付孔
９１      Ｕボルト
９２      蝶ナット
【図１】
2020191789.tif 000003
【図２】
2020191789.tif 000004
【図３】
2020191789.tif 000005
【図４】
2020191789.tif 000006
【図５】
2020191789.tif 000007
【図６】
2020191789.tif 000008
【図７】
2020191789.tif 000009
【図８】
2020191789.tif 000010
【図９】
2020191789.tif 000011
【図１０】
2020191789.tif 000012
【図１１】
2020191789.tif 000013
【図１２】
2020191789.tif 000014
【図１３】
2020191789.tif 000015